(57)【要約】　　　（修正有）【課題】引込み線の１次電源の世帯需用電源線への供給の遮断なしに、電力計が交替、設置できる無停電ソケット端子ブロックを備える配電盤を提供する。【解決手段】１対の導線接続端子３５が互いに反対方向に延長され、１対の導線接続端子間にプラグ接続端子３１が垂直に連結され、一方向の導線接続端子は引込み線及び世帯需用電源線に接続され、他方向の導線接続端子は電力計に連結される仲介線に接続されるソケット端子コネクタを内蔵する無停電ソケット端子ブロック２０と、ソケット端子コネクタの対応プラグ接続端子に接続され、プラグ連結線４２を介して互いに連結されるプラグ端子４１を有する電源印加プラグ４０とを含んでなり、電源印加プラグのプラグ端子がソケット端子コネクタの対応プラグ挿入端子に接続されたとき、引込み線の１次電源が前記世帯需用電源線に直接通電される。【選択図】　　　　図３
2004003974.tif 000002
【特許請求の範囲】
【請求項１】
それぞれ１対の導線接続端子が互いに反対方向に延長され、前記１対の導線接続端子間にプラグ接続端子が垂直に連結され、前記一方向の導線接続端子は１次電源の引込み線及び２次電源の世帯需用電源線に接続され、他方向の導線接続端子は前記引込み線及び前記世帯需用電源線を電力計に連結するための仲介線に接続されるようになった多数のソケット端子コネクタを内蔵する無停電ソケット端子ブロックと、前記ソケット端子コネクタの対応プラグ接続端子に接続され、プラグ連結線を介して互いに連結される多数のプラグ端子を有する電源印加プラグとを含んでなり、前記電源印加プラグが前記ソケット端子ブロックに結合され前記電源印加プラグのプラグ端子が前記ソケット端子コネクタの対応プラグ挿入端子に接続されたとき、前記引込み線の１次電源が前記世帯需用電源線に直接通電されることを特徴とする無停電ソケット端子ブックを備える配電盤。
【請求項２】
前記ソケット端子ブロックは絶縁材料から製造され、前記ソケット端子ブロックには、対応プラグ端子及び対応プラグ接続端子を収容するためのプラグ挿入孔が中心線に沿って設けられ、対応導線接続端子を収容するための導線挿入孔が両側面に設けられることを特徴とする請求項１に記載の無停電ソケット端子ブックを備える配電盤。
【請求項３】
前記ソケット端子コネクタの導線接続端子は、前記導線接続端子内に挿入された導線を支持するようにネジが締結されるネジ締結孔を有し、前記各対の導線接続端子の接続部には、前記プラグ接続端子が置かれて固定されるプラグ位置決め溝が設けられることを特徴とする請求項１又は２に記載の無停電ソケット端子ブックを備える配電盤。
【請求項４】
前記配電盤は、前記導線を遊動なしに支持するため、前記引込み線及び前記世帯需用電源線に連結された仲介線の被覆部に設けられる導線支持具をさらに含むことを特徴とする請求項１に記載の無停電ソケット端子ブックを備える配電盤。
【請求項５】
前記配電盤は、両側に端子固定溝が形成され、互いに引き締められる上下ハウジングと、前記上下部の対応端子固定溝内に位置し、前記ソケット端子ブロック及び前記電力計側に延長される多数対のプラグ端子とからなる導線間隔調整具をさらに含み、前記プラグ端子は前記電力計と前記ソケット端子ブロック間の間隔に応じて前記上下部ハウジング間の適正位置に固定されることを特徴とする請求項１に記載の無停電ソケット端子ブックを備える配電盤。
【発明の詳細な説明】
【０００１】
【発明の属する技術分野】
本発明は、世帯需用電源を遮断することなく、電力計を交替し、設置することができるようにした無停電ソケット端子ブロックを備える配電盤に係り、より詳しくは、電力計の交替作業に際して、家庭内への引込み電源の印加を遮断する必要なしに、付属の電源印加プラグを用いて簡単に交替できるようにして、配電盤の狭い空間及び電力計の端子の規格にかかわらず、新たな電力計で便利に交替、設置し、電源の連結を便利にした無停電ソケット端子ブロックを備える配電盤に関するものである。
【０００２】
【従来の技術】
一般に、家庭の電気は電力会社の配電線電柱から引込み線を介して電力計を経てから屋内の分電盤に誘導されるが、配電線電柱から家庭に誘導される、最初の設置用配電盤の電力計までの引込み線は通常電力会社が施工し、電力計以後の配線は一般の電気工事業者が施工することになる。
また、電気量を計測する電力計は電力会社で装着し、通常、７年の使用期間が経過すると、電力会社は配電盤に装着された電力計を新たな電力計で交替することになる。この際、電力計を交替するためには、家庭の電源を遮断させるしかなかった。
【０００３】
ところが、電力計の交替に際して、１次電源の引込み線と２次電源の世帯需用電源線を電力計から分離するか又は連結しようとするとき、配電盤の狭い空間内で電源線の被覆を除去し、接続電線を露出させて電力計の電源接点である端子ブロックに連結する作業を行っていたが、その連結作業による安全事故と、世帯需用電源の遮断の問題点を解決していない実情である。
【０００４】
【発明が解決しようとする課題】
したがって、本発明はこのような従来の問題点に鑑みてなされたもので、引込み線の１次電源が世帯需用電源線に印加されることを遮断する必要なしに、かつ配電盤の狭い空間及び電力計の端子規格にかかわらず、簡単に電力計が交替、設置できるようにし、再び電源が連結できるようにする無停電ソケット端子ブロックを備える配電盤を提供することにその目的がある。
【０００５】
【課題を解決するための手段】
前記目的を達成するため、本発明は、それぞれ１対の導線接続端子が互いに反対方向に延長され、前記１対の導線接続端子間にプラグ接続端子が垂直に連結され、前記一方向の導線接続端子は１次電源の引込み線及び２次電源の世帯需用電源線に接続され、他方向の導線接続端子は前記引込み線及び前記世帯需用電源線を電力計に連結するための仲介線に接続されるようになった多数のソケット端子コネクタを内蔵する無停電ソケット端子ブロックと、前記ソケット端子コネクタの対応プラグ接続端子に接続され、プラグ連結線を介して互いに連結される多数のプラグ端子を有する電源印加プラグとを含んでなり、前記電源印加プラグが前記ソケット端子ブロックに結合され前記電源印加プラグのプラグ端子が前記ソケット端子コネクタの対応プラグ挿入端子に接続されたとき、前記引込み線の１次電源が前記世帯需用電源線に直接通電される、無停電ソケット端子ブックを備える配電盤を提供する。
前記ソケット端子ブロックは絶縁材料から製造され、前記ソケット端子ブロックには、対応プラグ端子及び対応プラグ接続端子を収容するためのプラグ挿入孔が中心線に沿って設けられ、対応導線接続端子を収容するための導線挿入孔が両側面に設けられる。
前記ソケット端子コネクタの導線接続端子は、前記導線接続端子内に挿入された導線を支持するようにネジが締結されるネジ締結孔を有し、前記各対の導線接続端子の接続部には、前記プラグ接続端子が置かれて固定されるプラグ位置決め溝が設けられる。
前記配電盤は、前記導線を遊動なしに支持するため、前記引込み線及び前記世帯需用電源線に連結された仲介線の被覆部に設けられる導線支持具をさらに含む。前記配電盤は、両側に端子固定溝が形成され、互いに引き締められる上下ハウジングと、前記上下部の対応端子固定溝内に位置し、前記ソケット端子ブロック及び前記電力計側に延長される多数対のプラグ端子とからなる導線間隔調整具をさらに含み、前記プラグ端子は前記電力計と前記ソケット端子ブロック間の間隔に応じて前記上下部ハウジング間の適正位置に固定される。
【０００６】
【発明の実施の形態】
以下、本発明による無停電ソケット端子ブロックを備える配電盤を添付図面に基づいて詳細に説明する。
【０００７】
図１は本発明の配電盤に装着された電力計１０の計量端子ブロック１１の端子に無停電ソケット端子ブロック２０の端子が連結された状態を示し、図２は２次電源の世帯需用電源線１３への電源供給を遮断しないで前記電力計１０が交替できるように、前記ソケット端子ブロック２０に別の電源印加プラグ４０が連結された状態を示すものである。
【０００８】
図３は、電力計１０の交替の際、中間に形成されたプラグ挿入孔２１に電源印加プラグ４０が連結されるようにした本発明の配電盤に備えられるソケット端子ブロック２０の分離状態を示し、図４は電力計１０の計量電源端子１１に連結される導線１４の遊動を抑制させるための導線支持具４３を示すものである。
同図に示すように、本発明による配電盤は、２次電源の世帯需用電源線１３を遮断させなくても前記電力計１０を交替し、設置するため、１次電源の引込み線１２と２次電源の世帯需用電源線１３をそれぞれソケット端子ブロック２０内に設けられたソケット端子コネクタ３０の導線接続端子３５の導線挿入孔３４に挿入し、ネジ締結孔３６を通してネジで導線を固定させる。電力計１０側の導線接続端子３５には電力計１０の計量端子ブロック１１の端子に連結する。
【０００９】
そして、電力計１０の交替の際、１次電源が直接世帯需用電源線に印加されるように、ソケット端子ブロック２０のプラグ接続端子３１に接続されるプラグ端子４１を有する電源印加プラグ４０を設ける。前記プラグ端子４１は前記電源印加プラグ４０内に設けられたプラグ連結線４２により相互連結され、前記ソケット端子コネクタ３０のプラグ接続端子３１に接続される。
【００１０】
前記ソケット端子ブロック２０は絶縁体から製造されることが好ましい。前記ソケット端子ブロック２０の中央には、前記電源印加プラグのプラグ端子４１が挿入されるプラグ挿入孔２１が形成され、その両側にはそれぞれネジ締結凹部２２が形成される。また、前記ソケット端子ブロック２０の前後側面には導線挿入孔２３が形成され、両側端にはブロック固定部２４が設けられる。
前記ソケット端子コネクタ３０の中間には、それぞれ電源印加プラグ４０のプラグ端子４１が接続されるプラグ接続端子３１が垂直に設けられ、両側の導線接続端子３５には、被覆１５を除去した引込み線１２及び世帯需用電源線１３の導線が連結される。
【００１１】
また、前記両側水平方向の導線接続端子３５にはそれぞれネジ締結孔３６が形成され、このネジ締結孔３６にネジが締結されることにより、導線接続端子３５に挿入された導線が固定される。これら導線接続端子３５の中間部にはプラグ位置決め溝３３が形成され、このプラグ位置決め溝３３にプラグ接続端子３１が垂直に置かれ、ネジで締結される。前記ソケット端子ブロック２０の底面にはブロック底板２５が取り付けられる。
【００１２】
そして、ソケット端子ブロック２０と電力計１０の計量端子ブロック１１の端子間に連結される仲介線１４が遊動しないようにするため、仲介線１４の露出していない被覆１５の部位を把持する別の導線支持具４３が設けられる。
すなわち、本発明による配電盤に装着された電力計１０の下側に設けられた計量端子ブロック１１の端子に引込み線１２と世帯需用電源線１３がソケット端子ブロック２０を通して仲介線１４を介して連結される構造を有する。前記ソケット端子ブロック２０は、配電盤の狭い空間と電力計１０の端子規格にかかわらず、電力計を便利に交替、設置し、電源を連結することができるようにするため、前記電力計１０の下側に設けることが好ましいが、場合によっては前記配電盤１６の外部に別に設けても電源を連結することができる。
【００１３】
本発明は、図４に示すように、電力計１０の計量端子ブロック１１とソケット端子ブロック２０間に連結される仲介線１４を遊動なしに把持するため、別の導線支持具４３を設けることができる。この導線支持具４３は、前記計量端子ブロック１１と前記ソケット端子ブロック２０間に連結される仲介線１４の露出していない被覆１５の部位を把持して仲介線１４を安定に配列させる。
【００１４】
一方、本発明は、電力計１０の計量端子ブロック１１とソケット端子ブロック２０との間隔に違いがある場合、これを調整するため、導線支持具４３より発展した形態の導線間隔調整具５０をさらに設けることができる。前記導線間隔調整具５０は、それぞれ両側に端子固定溝５５が形成された１対の上下ハウジング５２、５２を含む。前記一側の端子固定溝５５にはソケット端子ブロック２０に連結されたプラグ端子５３が置かれ、他側の端子固定溝５５には前記電力計１０の計量端子ブロック１１に連結されたプラグ端子５３が位置調整可能に置かれる。前記プラグ端子５３の対向端部には段差部５４が設けられ、前記プラグ端子５３の段差部５４上には導電片５６が置かれる。この状態で、前記上下ハウジング５２に形成されたネジ締結孔５１を通してネジで前記上下ハウジングを引き締めて、その間に配置されたプラグ端子５３を固定させる。この際、プラグ端子５３間に配置された導電片５６により、ソケット端子ブロック２０と電力計１０の計量端子ブロック１１との間に電源が供給される。
【００１５】
このように構成される本発明の無停電ソケット端子ブロックを備える配電盤は、ソケット端子ブロック２０を介して電力計１０の計量端子ブロック１１の端子に引込み線１２及び世帯需用電源線１３の連結線である仲介線１４が連結され、整列される。また、前記ソケット端子ブロック２０内に設けられたソケット端子コネクタ３０の導線接続端子３５の導線挿入孔３４に引込み線１２及び世帯需用電源線１３の導線が挿入され、導線接続端子３５のネジ締結孔３６を通してネジで締結されることにより、簡単で安定に電源が連結できる。また、前記ソケット端子ブロック２０のと前記電力計１０の計量端子ブロック１１との間に接続される仲介線１４も同一方式で接続される。
【００１６】
電力計１０を新たなもので交替するためには、図２及び図３に示すように、ソケット端子ブロック２０のプラグ挿入孔２１に電源印加プラグ４０のプラグ端子４１を差し込むことにより、前記ソケット端子ブロック２０の一側導線接続端子３５に印加される１次電源が反対側の導線接続端子３５を介して前記電力計１０の計量端子ブロック１５の端子に通電されるとともに、前記電源印加プラグ４０のプラグ端子４１を介して世帯需用電源線にも通電される。
したがって、作業者はソケット端子ブロック２０に別の電源印加プラグ４０を連結させた状態で、電源の遮断なしにも、電力計１０を簡単に交替することができる。この際、前記電源印加プラグ４０はソケット端子ブロック２０の規格に合うものを準備しておくとよい。
【００１７】
また、交替すべき電力計１０の端子規格がソケット端子ブロック２０の端子と異なる場合は、図５に示すような導線間隔調整具５０を用いて、電力計１０とソケット端子ブロック２０間に導線１４をより正確で安定に連結することができる。これは、前記導線間隔調整具５０の一側プラグ端子５３の位置調整で簡単に行える。
【００１８】
以上説明した実施例は本発明の無停電ソケット端子ブロックを備える配電盤の作動原理の理解に役立つように提供した実施例であって、本発明の技術思想の範囲内でいろいろの形態に変更できる。このような技術思想範囲内での実施可能な全ての実施例及び変形例は本発明の権利範囲に属することが理解できるであろう。
【００１９】
【発明の効果】
以上説明したように、本発明の無停電ソケット端子ブロックを備える配電盤によると、電力計の交替作業の際、引込み線の１次電源が世帯需用電源線に印加されることを遮断する不便なしに、電力計を簡単に交替して連結することができるので、配電盤の研究課題であった、電力計の交替作業時の電源遮断による不便、これによる電力消費者との摩擦、そして交替すべき電力計の端子規格が違っているため、多数回訪問して作業しなければならない不便、これらの問題による費用上昇、及びこれによる直接、間接損失の問題点を根本的に改善することができる。
【図面の簡単な説明】
【図１】本発明による無停電ソケット端子ブロックを備える配電盤を示す平面図である。
【図２】電力計の交替の際、本発明による電源印加プラグをソケット端子ブロックに連結した状態を示す平面図である。
【図３】本発明の配電盤に用いられるソケット端子ブロックの分解斜視図である。
【図４】導線の遊動を抑制するための本発明による導線支持具を示す斜視図である。
【図５】本発明による導線間隔調整具が電力計の電源端子に合わせて間隔調節されてソケット端子ブロックに連結される状態を示す分解斜視図である。
【符号の説明】
１０　電力計
１１　計量端子ブロック
１２　引込み線（１次電源線）
１３　世帯需用電源線（２次電源線）
１４　仲介線
１５　被覆
１６　配電盤
２０　ソケット端子ブロック
２１　プラグ挿入孔
２２　ネジ締結凹部
２３　導線挿入孔
２４　ブロック固定部
２５　ブロック底板
３０　ソケット端子コネクタ
３１　プラグ接続端子
３２　プラグ挿入孔
３３　プラグ位置決め溝
３４　導線挿入孔
３５　導線接続端子
３６　ネジ締結孔
４０　電源印加プラグ
４１　プラグ端子
４２　プラグ連結線
４３　導線支持具
５０　導線間隔調整具
５１　ネジ締結孔
５２　プラグハウジング
５３　プラグ端子
５４　段差部
５５　端子固定溝
５６　導電片
【図１】
2004003974.tif 000003
【図２】
2004003974.tif 000004
【図３】
2004003974.tif 000005
【図４】
2004003974.tif 000006
【図５】
2004003974.tif 000007